(57)【要約】      （修正有）【課題】実用性に優れる厚紙等からなる折り畳み可能なオペラグラスを提供する。【解決手段】対物レンズ２の設けられた前面部４と接眼レンズの設けられた後面部と前面部４と後面部の上部を接続する上面部１０と下部を接続する下面部１２とを備え、上面部１０と下面部１２において折り曲げられることで前面部４と後面部とが接近するように折り畳まれるシート体よりなるオペラグラスにおいて、前面部４の上縁と下縁とに沿って、使用時において前方に突出して位置するとともに折り畳み時に対物レンズ２を覆うように位置する一対の突出部１５が設けられてなる構成とする。【選択図】図１
0003152739.tif 000002
【実用新案登録請求の範囲】
【請求項１】
対物レンズの設けられた前面部と接眼レンズの設けられた後面部と前記前面部と前記後面部の上部を接続する上面部と下部を接続する下面部とを備え、前記上面部と前記下面部において折り曲げられることで前記前面部と前記後面部とが接近するように折り畳まれるシート体よりなるオペラグラスにおいて、
前記前面部の上縁と下縁とに沿って、使用時において前方に突出して位置するとともに前記折り畳み時に前記対物レンズを覆うように位置する一対の突出部が設けられてなることを特徴とするオペラグラス。
【請求項２】
前記シート体が厚紙である請求項１記載のオペラグラス。
【考案の詳細な説明】
【技術分野】
【０００１】  この考案は、厚紙等からなる折り畳み可能なオペラグラスに関する。
【背景技術】
【０００２】  スポーツ観戦や観劇にはオペラグラスが用いられるが、このオペラグラスとして厚紙等からなる折り畳み可能なものが提供されている。この種のオペラグラスは、軽量であるとともに折り畳まれることで小さくなるので携帯に便利で、また低価格で得られる利点があり、プレゼント品や販売促進用グッズ等としても汎用されている。
【考案の開示】
【考案が解決しようとする課題】
【０００３】  しかしながら従来の折り畳み式のこの種オペラグラスは、太陽光があって明る過ぎる場合には見にくい、対物レンズが損傷しやすい等の実用上の問題点があった。【０００４】  この考案は上記事情に鑑みて行ったもので、より実用性に優れる厚紙等からなる折り畳み可能なオペラグラスを提供することを目的とする。
【課題を解決するための手段】
【０００５】  この考案では、対物レンズの設けられた前面部と接眼レンズの設けられた後面部と前記  前面部と前記後面部の上部を接続する上面部と下部を接続する下面部とを備え、前記上面部と前記下面部において折り曲げられることで前記前面部と前記後面部とが接近するように折り畳まれるシート体よりなるオペラグラスにおいて、前記前面部の上縁と下縁とに沿って、使用時において前方に突出して位置するとともに前記折り畳み時に前記対物レンズを覆うように位置する一対の突出部が設けられてなる構成とする。【０００６】  上記構成のオペラグラスは、前面部の上縁と下縁とに位置する突出部が使用に際しては光が対物レンズに直接及ぶことを妨げ、これにより太陽光が強い環境等においても光が邪魔することなく対象物を見ることができる。さらに、使用しない折り畳み時には突出部のそれぞれが対物レンズを覆って保護してその損傷を防止する。【０００７】  シート体としては、厚紙、さらにはプラスチックシート等が好適に用いられる。
【考案の効果】
【０００８】  この考案によれば、常に対象物が見やすく、かつ、折り畳み時には対物レンズの損傷が防止される実用性に優れるオペラグラスが得られる。
【考案を実施するための形態】
【０００９】  図１はこの考案のオペラグラスの前方側斜視図、図２は同後方側斜視図、図３は同折り畳み途中の斜視図、図４は同折り畳み時の斜視図である。
【００１０】  オペラグラス１は全体が厚紙よりなり、一対の対物レンズ２、２の設けられた前面部４と、一対の接眼レンズ６、６の設けられた後面部８と、上面部１０と、下面部１２と、両側面部１４、１４のそれぞれとからなる。前面部４の上縁と下縁とに沿って前方に突出して位置する一対の突出部１５、１５が一体に設けられている。上面部１０と下面部１２の前後方向における略中間位置には相対する位置に折り曲げ部１６、１６が設けられている。
【００１１】  オペラグラス１は製品提供時において、また、非使用時においては、図３、図４に示すように折り畳まれる状態とされる。折り畳みは上面部１０と下面部１２の折り曲げ部１６、１６のそれぞれが外側に突出するように折り曲げられて行われ、折り畳まれた状態においては突出部１５、１５のそれぞれが対物レンズ２、２が設けられた前面部４の全体を覆うように位置する。折り曲げ部１６、１６それぞれが伸ばされ、上面部１０と下面部１２とが平面状とされて使用形態とされる。
【００１２】  上記オペラグラス１は、前方に突出する突出部１５、１５が使用に際しては光が対物レンズ２、２に直接及ぶことを妨げ、これにより太陽光が強い環境等においても光が邪魔することなく対象物を見ることができる。また、製品提供時には折り畳んで扁平な形態とできることで多数の物を重ね状態して梱包でき、また、扁平でコンパクトな形態とできることで持ち運びも容易に行える。さらに、その際には突出部１５、１５のそれぞれが対物レンズ２、２を覆って保護してその損傷を防止する。
【００１３】  図５はオペラグラス１を構成する厚紙Ｐの展開図であり、この図を参照してオペラグラス１の組み立て構成について説明する。図５は厚紙Ｐの内面側を示し、その長手方向においてＡ、Ｂ、Ｃ、Ｄ、Ｅ、Ｆ、Ｇの各位置において折り曲げ部を備え、Ａ、Ｂ位置間の部分の両側に連結穴２５、２５の設けられた突出連結部２６、２６が、Ｅ、Ｆ位置間の部分の両側に連結端２７、２７の設けられた突出連結部２８、２８が一体に設けられている。
【００１４】  厚紙ＰのＡ、Ｂ位置間の前面部４となる部分には一対の円形穴３０、３０が形成され、その円形穴３０、３０それぞれに対物レンズ２、２それぞれが位置するように対物レンズプレート３１が厚紙Ｐの内面に貼り付けられて取り付けられており、また、厚紙のＥ、Ｆ位置間の後面部８となる部分には一対の円形穴３２、３２が形成され、その円形穴３２、３２それぞれに接眼レンズ６、６それぞれが位置するように接眼レンズプレート３６が厚紙Ｐの内面に貼り付けられて取り付けられている。さらに、厚紙ＰのＦ、Ｇ位置間の上面部１０の後部の両側位置には吊り下げベルト取り付け用穴３３、３３のそれぞれが設けられている。
【００１５】  組み立ては、Ａ、Ｂ、Ｃ、Ｅ、Ｆそれぞれの位置において所定の方向に折り、その先端部の内面どうしを所定の巾Ｘにおいて接着固定して環状に連結し、突出連結部２６、２６、２８、２８をＨ、Ｈ、Ｉ、Ｉの位置で内側に折り、連結端２７、２７のそれぞれを連結穴２５、２５に嵌め込んで連結して行う。
【００１６】  上記組み立てにより、厚紙ＰのＡ、Ｂ間部分が前面部４となりＪ、Ｅ間部分が上面部１０となり、Ｅ、Ｆ間部分が後面部８となり、Ｆ、Ｋ間部分が下面部１２となり、連結された突出連結部２６、２８が側面部１４となり、さらに、先端部の所定の巾Ｘにおいて接着固定された部分が下側の突出部１５となり、Ｂ、Ｃ間部分とＣ、Ｊ間部分の重なり部分が上側の突出部１５となる。
【００１７】  上記構成により、上面部１０と下面部１２とが折り曲げ部１６、１６のそれぞれで折り曲げられるのに伴って、両側面部１４、１４は突出連結部２６、２６、２８、２８どうしの連結位置において内側に折れ曲がり、これにより全体が折り畳まれて扁平な形態となる。また、両突出部１５、１５は上面部１０と下面部１２と面一に連続して位置することで、組み立てた状態における前面部４の上縁と下縁が補強され、外力受けた際にも角部分の歪みが防がれる。
【図面の簡単な説明】
【００１８】
【図１】  この考案のオペラグラスの実施形態の前方側斜視図
【図２】  この考案のオペラグラスの実施形態の後方側斜視図
【図３】  この考案のオペラグラスの実施形態の折り畳み途中の斜視図
【図４】  この考案のオペラグラスの実施形態の折り畳み時の斜視図
【図５】  この考案のオペラグラスを構成する厚紙の展開図
【符号の説明】
【００１９】１      オペラグラス
２      対物レンズ
４      前面部
６      接眼レンズ
８      後面部
１０    上面部
１２    下面部
１５    突出部
【図１】
0003152739.tif 000003
【図２】
0003152739.tif 000004
【図３】
0003152739.tif 000005
【図４】
0003152739.tif 000006
【図５】
0003152739.tif 000007